(57)【特許請求の範囲】
【請求項１】
複数の区画室を袋体の全長方向に順次連続させる共に、各区画室には外部に連通する窓を設けた可撓素材よりなる袋体を用意し、この袋体の各窓より各区画室内に用土を収容した後、各窓より樹木を区画室内に植え込み、植え込みが完了した袋体を樹木の幹部分を各窓より露出させた状態で法面に沿って全長方向に吊り下げ、更に法面と袋体との間には法面に自生している雑草の成長を阻むためのシートを介在させ、上記シートは袋体内で成長した樹木の根が袋体を通過して法面上に定着することを妨げないように、上記の自生している雑草が絶滅する頃に消滅するよう分解に要する時間を設定した自然環境下において経時分解する素材よりなるシートを採用したことを特徴とする法面の緑化方法。
【発明の詳細な説明】
【０００１】
【産業上の利用分野】
この発明は、例えば土手等の法面を樹木により緑化する方法に関する。
【０００２】
【従来の技術】
従来、法面を緑化する方法としては、法面がコンクリート等の場合には蔦を這わせ、又法面が地面の場合にはそこに樹木を植え込むことが公知であった。
【０００３】
【発明が解決しようとする課題】
しかし、蔦を採用する前者の方法では、その性格上緑化する範囲及び形状が予め正確に特定できないという制約があり、法面の緑化には限度があった。
【０００４】
一方、後者の方法では樹木は法面に常時位置するので、作業者が植え込みはもとよりメンテナンスや植え替えの度に法面を登ったり、そのための足場工事が必要となる問題点があった。
【０００５】
又、後者の方法では法面という性格上、樹木が定着するまでは大量の雨水により樹木が流されてしまうおそれもあった。
【０００６】
以上の問題点を解消する手段として、本願発明者は先に平成５年特許願第２９３８１９号において、複数の区画室を袋体の全長方向に順次連続させる共に、各区画室には外部に連通する窓を設けた可撓素材よりなる袋体を用意し、この袋体を水平に寝かせた状態で各窓より各区画室内に用土を収容した後、各窓より樹木を区画室内に植え込み、植え込みが完了した袋体を樹木の幹部分を各窓より露出させた状態で壁面に沿って全長方向に吊り上げることを特徴とする壁面緑化方法を開示している。
上記の発明の壁面は垂直面に限らず、当然法面も含むものであり、前記した法面がコンクリート等の場合に特に有効である。
【０００７】
しかしながら、上記の発明の場合、法面が地面の場合には法面に自生している例えばススキや笹等の雑草が成長して袋体を突き破る問題点があった。
【０００８】
【課題を解決するための手段】
この発明は以上の問題点を解消した法面の緑化方法を提供することを目的としたものである。
即ち、この発明の法面の緑化方法は、複数の区画室を袋体の全長方向に順次連続させる共に、各区画室には外部に連通する窓を設けた可撓素材よりなる袋体を用意し、この袋体を水平に寝かせた状態で各窓より各区画室内に用土を収容した後、各窓より樹木を区画室内に植え込み、植え込みが完了した袋体を樹木の幹部分を各窓より露出させた状態で法面に沿って全長方向に吊り下げ、更に法面と袋体との間には自然環境下において経時分解する素材よりなるシートを介在させたことを特徴とする。
【０００９】
【作用】
よって、この発明の緑化方法によれば、第１に用土の収容及び樹木の植え込みは袋体を水平に寝かせた状態で行えるので、これらの作業を法面でなく地上で実施できる作用を生じる。
【００１０】
第２に、用土の収容作業、樹木の植え込み作業、及び樹木の幹の露出は全て同一の窓より行われるので、袋体の構造が簡易となる作用を生じる。
【００１１】
第３に、これらの作業を完了した袋体を、樹木の幹部分を各窓より露出させた状態で法面に沿って吊り下げるだけで緑化が完了するので、法面に特別な足場を設置することが不要となり、しかも作業員の法面上での作業が不要となる作用を生じる。
【００１２】
第４に、法面と袋体との間にはシートが介在されるので、法面に自生しているススキや笹等の雑草が成長しても、このシートにより阻まれて袋体を突き破ることが防止される作用を生じる。
そして、この場合、シートは自然環境下において経時分解する素材により構成されるので、自生しているススキや笹等の雑草が絶滅する頃にはシートは消滅し、その後は袋体内で成長した樹木に根が袋体を通過して法面上に定着することを妨げない作用を生じる。
【００１３】
第５に、樹木のメンテナンス及び植え替えに際しては、吊り上げた袋体を再度水平に寝かせれば、これらの作業を法面でなく地上で行うことができる作用を生じる。
【００１４】
【実施例】
次にこの発明の実施例を添付図面に基づいて説明する。
図１はこの発明の緑化方法に使用する袋体を示す図である。
図中符号１は袋体である。
この袋体１は少なくとも可撓性を有することが必要であり、又防水性を有する反面ある程度の通気性を有することが望ましく、ここでは例えばポリエステル、ナイロン、ポリエチレン、ポリプロピレン等からなる不織布のシートを想定している。
【００１５】
この袋体１は内部に用土を収容するための複数の区画室２を袋体の全長方向に順次連続させることにより構成される。
【００１６】
図中符号３は上記の区画室に設けられる窓であり、ここでは袋体１の全長方向に沿ったスリットとして構成される。
この窓３は各区画室２に配される樹木Ｔの本数及び間隔に対応して設けられるものであるが、必要に応じて一つの窓或いは複数の窓毎に各区画室２を更に区画してもよいことは勿論である（このための区画壁については図示せず）。
【００１７】
図４乃至図７はこの袋体の使用方法を示す図である。
袋体１は先ず、例えば地面上に水平に寝かせた状態で載置される（図４の状態）。
【００１８】
そして、この袋体１の区画室２をスリット方向に撓ませることによりスリット状の窓３を大円状に変形させ、そこから各区画室内に用土１２を流し込む（図５の状態）。
【００１９】
次いで、用土１２を収容した各区画室２内に、樹木Ｔを窓３より植え込む（図６の状態）。
この際に、ここでは樹木Ｔとして通称「コンテナ栽培」或いは「ポット栽培」と呼ばれる方法により栽培されたものを採用している。
即ち、ここでは一定の容器で栽培した樹木を、容器の内部形状に沿って固まった土１１を根の周囲に付着させた状態で、この容器より引き抜いたものを使用するものであり、これにより確実な植え込みが実現することとなる。
【００２０】
以上の作業を完了した袋体１は吊り下げ具１６（図１参照）により緑化を希望する法面に沿って吊り下げられるものであり、この際袋体１は自重により全長方向に引っ張られるので窓３は本来のスリット状に堅く閉ざされ、用土１２の漏れが防止されることとなる（図７の状態）。
【００２１】
但し、この場合、樹木Ｔの幹の成長により窓３を構成するスリットが押し拡げられる可能性があるので、この実施例ではこれを防止するために図８及び９に示す次の手段を採用している。
即ち、ここでは一端にスリット状の切り欠き１４を設けた一対のシート１３、１３を用意し、これらのシートをその切り欠きが窓３を構成するスリットと直交するよう窓の裏面に配すると共に、相対向させた切り欠き１４、１４間に樹木Ｔの幹を挟んだ状態で重合させることにより、幹を完全に囲繞する。
【００２２】
以上の袋体１と法面Ｇとの間にはシート２０が介在される（図２及び図３参照）。
このシート２０は自然環境下において経時分解する素材より構成される。
この種の素材は公知のものであり、ここでは紫外線等の光により分解が促進される光分解性のプラスチックや微生物等により分解が促進される生分解性のプラスチック等を素材の一例として開示する。
参考までにこれらの技術に関する特許公告公報を公知資料として列挙する。
【００２３】
特公昭５５−３３４６２号、同５５−２３８４８号、同５７−８１３５号、同５５−３３４６５号、同５６−３８６１４号、同５５−４１３４号、同５６−８０５３号、同５６−２２３３７号、同５７−８８２５号、同５６−４４９０７号、同５６−５２６５号、同５６−１３４９号、同５６−４４９０１号、同５６−９５４８号、同５６−２５９３６号、同５６−４４９１０号、同５９−３４４１号、同５７−２３７０１号、同５７−２６５３２号、同５５−４１６０３号、同５８−５５９８２号、同５７−５１４１８号、同５９−４６２６７号、同６０−１６４５０号、同５９−２３３３９号、同５６−９１１６号、同６０−４１０８９号、同６０−１８３６９号、同６０−２４１３３号、同５７−２６６８８号、同５６−３８１１５号、同５７−６１２８６号、同５５−３１２０７号、同５９−３７００３号、同６２−５３５４５号、同６１−４４０８５号、同５７−３６２９１号、同５７−３６２９２号、同５７−３６２９３号
【００２４】
又、このシート２０の分解に要する時間も製造時に設定できることも公知であるが、この実施例においては約３年程度のものを想定している。
即ち、ススキや笹等の雑草Ｓは約３年以内で絶滅し得るものであり、一方これ以上長い期間では今度は袋体内の樹木の根の成長をシートが妨げるおそれがあるからである。
【００２５】
ところで、この発明の緑化方法において法面の傾斜度は様々である。
次に、この前提に立ってこの発明の緑化方法に適する用土、灌水手段、樹木種について説明する。
（用土）
用土については、吊り上げ時の荷重を軽減するためには人工軽量土が望ましいが、法面が６０°以下の傾斜度の場合は通常の用土でも差し支えない。
【００２６】
（灌水手段）
この発明に実施可能な特有の手段として図３に示す次の技術を開示する。
即ち、ここでは袋体１の各区画室２の間に灌水用のパイプ１５を配した空間２ａを設け、これらのパイプ１５同士を袋体の全長方向に順次連結する。
よって、吊り上げられた袋体の最上段の空間２ａのパイプ１５に水を通水すれば、上段から下段へ順次各空間のパイプに水が伝わると共に、各パイプより各区画室２内へ灌水が行われることとなる。
【００２７】
尚、以上の灌水手段は法面が６０°の傾斜度迄の場合は実施できるが、法面が６０°以下の傾斜度の場合は高分子系土壌保水剤によって灌水することが望ましい。
【００２８】
（樹木種）
樹木については、例えばハイビャクシン、ハイネズ、ツルマサキ、コトネアスター、紅シタン、ハマゴウ等が最適であるが、法面が６０°以下の傾斜度の場合は一般に植えられている樹木の全てが使用可能である。
【００２９】
【発明の効果】
以上の構成よりなるこの発明は次の特有の効果を奏する。
▲１▼樹木の植え込み作業を地上で行うことができ、植え込み後は袋体を法面に沿って吊り下げるだけで緑化が完了するので、従来技術のように法面に特別な足場を設置することや、作業員の法面上での作業が不要となり、極めて簡易な工法により緑化が実現できる。
【００３０】
▲２▼同様の理由より、樹木のメンテナンス及び植え替えに際しては、吊り下げた袋体を再度おろせば、これらの作業を法面でなく地上で行うことができるので、これらの作業のための足場工事が不要となり、しかも作業自体も法面で行うより遙かに容易なのでこれらに要するコストを大幅に軽減することができる。
【００３１】
▲３▼法面と袋体との間には自然環境下において経時分解する素材により構成されるシートが介在されるので、法面の雑草が成長しても、このシートにより阻まれて袋体を突き破ることが防止され、一方、これらの雑草が絶滅する頃にはシートは分解して消滅し、その後は袋体内で成長した樹木に根が袋体を通過して法面上に定着することを妨げないので、法面が地面であっても容易に緑化を行うことが可能となる。
【００３２】
【図面の簡単な説明】
【図１】この発明の緑化方法に使用する袋体の斜視図。
【図２】同上、要部の断面図。
【図３】同上、異なる実施例の要部の断面図。
【図４】この発明の緑化方法の工程を示す斜視図。
【図５】この発明の緑化方法の工程を示す斜視図。
【図６】この発明の緑化方法の工程を示す斜視図。
【図７】この発明の緑化方法の工程を示す斜視図。
【図８】この発明の緑化方法に使用する袋体の異なる実施例の要部の斜視図。
【図９】この発明の緑化方法に使用する袋体の異なる実施例の要部の斜視図。
【符号の説明】
１    袋体
２    区画室
３    窓
１２  用土
２０  シート
Ｇ    法面
Ｓ    雑草
Ｔ    樹木
【図１】
0003675878.tif 000002
【図２】
0003675878.tif 000003
【図３】
0003675878.tif 000004
【図４】
0003675878.tif 000005
【図５】
0003675878.tif 000006
【図６】
0003675878.tif 000007
【図７】
0003675878.tif 000008
【図８】
0003675878.tif 000009
【図９】
0003675878.tif 000010